【手続補正書】
【提出日】平成17年8月10日(2005.8.10)
【手続補正１】
【補正対象書類名】明細書
【補正対象項目名】特許請求の範囲
【補正方法】変更
【補正の内容】
【特許請求の範囲】
【請求項１】  （ａ）ポリエステル又はコポリエステルポリマーである第一のポリマー、（ｂ）ＴＬＣＰである第二のポリマー及び（ｃ）強化繊維を含んでなり、（ｉ）第一のポリマー及び第二のポリマーが、重なった溶融加工範囲を有し、そして（ii）第二のポリマーが、この重なった溶融加工範囲内で第一のポリマーと混合したとき、第一のポリマーと部分的に非混和性であるか又は第一のポリマーと非混和性である、溶融加工性繊維強化ポリマー組成物。
【請求項２】  第一のポリマーと第二のポリマーとの溶解度パラメーターの差が、０．３（Ｊ／cm3)0.5 より大きい請求項１に記載の組成物。
【請求項３】  第一のポリマーと第二のポリマーとの溶解度パラメーターの差が、０．５（Ｊ／cm3)0.5 より大きい請求項１に記載の組成物。
【請求項４】  第一のポリマーと第二のポリマーとの溶解度パラメーターの差が、１．０（Ｊ／cm3)0.5 より大きい請求項１に記載の組成物。
【請求項５】  第二のポリマー及び第一のポリマーが、１：１０より小さい第二のポリマーの第一のポリマーに対する重量比で組成物中に存在する請求項１に記載の組成物。
【請求項６】  （ａ）２０〜９４．５重量％の第一のポリマー、（ｂ）０．５〜３０重量％の第二のポリマー及び（ｃ）５〜７０重量％の繊維からなる請求項１に記載の組成物。
【請求項７】  （ａ）４５〜７８重量％の第一のポリマー、（ｂ）２〜１０重量％の第二のポリマー及び（ｃ）２０〜４５重量％の繊維を含んでなる請求項１に記載の組成物。
【請求項８】  重なった温度範囲が少なくとも５℃である請求項１に記載の組成物。
【請求項９】  重なった温度範囲が少なくとも２０℃である請求項１に記載の組成物。
【請求項１０】  第一のポリマーが、熱成形条件下に、少なくとも１０重量％結晶化することができる、結晶性又は半結晶性ポリマーである請求項１に記載の組成物。
【請求項１１】  第一のポリマーが、熱成形条件下に、少なくとも２０重量％結晶化することができる、結晶性又は半結晶性ポリマーである請求項１に記載の組成物。
【請求項１２】  第一のポリマーが、ポリ（エチレンテレフタレート）、ポリ（テトラメチレンテレフタレート）、ポリ（シクロヘキサン−１，４−メチレンテレフタレート）、ポリ（エチレンナフチル−２，６−ジカルボキシレート）、ポリ（テトラメチレンナフチル−２，６−ジカルボキシレート）、ポリ（シクロヘキサン−１，４−メチレンナフチル−２，６−ジカルボキシレート）、ポリ（カプロラクタム）、ポリ（ヘキサメチレンアジパミド）、ポリ（テトラメチレンアジパミド）、ポリ（ｐ−フェニレンスルフィド）又はポリ（ｐ−フェニレンオキシド）からなる、請求項１に記載の組成物。
【請求項１３】  第二のポリマーが、エチレングリコール、テレフタル酸、ナフタレン−２，６−ジカルボン酸、ナフタレン−６−カルボキシル−２−オール、ヒドロキノン、ｐ−ヒドロキシ安息香酸、メチルヒドロキノン、フェニルヒドロキノン、ナフタレン−６−カルボキシル−２−アミド、ｐ−アミノ安息香酸、トランス−スチルベン−４，４′−ジカルボン酸、イソフタル酸又はこれらの混合物の残基からなる請求項１に記載の組成物。
【請求項１４】  第二のポリマーが、ＰＥＴ−ＨＢ；ＨＢ−ＮＡ；テレフタル酸、ナフタレン−２，６−ジカルボン酸、ヒドロキノン、ｐ−ヒドロキシ安息香酸若しくはこれらの混合物から形成された１種若しくはそれ以上の芳香族ポリマー又はこれらの混合物である請求項１３に記載の組成物。
【請求項１５】  第二のポリマーがＰＥＴ−ＨＢであり、ＰＥＴ−ＨＢが６０〜９０モル％のｐ−ヒドロキシ安息香酸の残基を含む請求項１３に記載の組成物。
【請求項１６】  第二のポリマーがＰＥＴ−ＨＢであり、ＰＥＴ−ＨＢが７５〜８５モル％のｐ−ヒドロキシ安息香酸の残基を含む請求項１３に記載の組成物。
【請求項１７】  第二のポリマーがＨＢ−ＮＡであり、ＨＢ−ＮＡが５〜９５モル％のｐ−ヒドロキシ安息香酸の残基を含む請求項１３に記載の組成物。
【請求項１８】  第二のポリマーがＨＢ−ＮＡであり、ＨＢ−ＮＡが４０〜６０モル％のｐ−ヒドロキシ安息香酸の残基を含む請求項１３に記載の組成物。
【請求項１９】  第二のポリマーが、０．３〜１０．０dL／ｇのインヘレント粘度を有するＰＥＴ−ＨＢである請求項１３に記載の組成物。
【請求項２０】  第二のポリマーが、０．５〜３．５dL／ｇのインヘレント粘度を有するＰＥＴ−ＨＢである請求項１３に記載の組成物。
【請求項２１】  第一のポリマー、繊維及び第二のポリマーが、第一のポリマーの重量の繊維の重量に対する重量比Ｒで、第一のポリマー及び繊維からなる組成物Ａの中の繊維の長さが、溶融加工後に、第二のポリマー、第一のポリマー及び繊維からなる、溶融加工後の組成物Ｂ（但し、第一のポリマー及び繊維は、重量比Ｒで組成物Ｂ中に存在している）の中の繊維の長さよりも短いように選択される請求項１に記載の組成物。
【請求項２２】  第一のポリマー、繊維及び第二のポリマーが、第一のポリマーの重量の繊維の重量に対する重量比Ｒで、第一のポリマー及び繊維からなる組成物Ａの粘度が、第二のポリマー、第一のポリマー及び繊維からなる組成物Ｂ（但し、第一のポリマー及び繊維は、重量比Ｒで組成物Ｂ中に存在している）の粘度よりも小さいように選択される請求項１に記載の組成物。
【請求項２３】  繊維が細断不活性繊維状材料である請求項１に記載の組成物。
【請求項２４】  繊維がガラス繊維又は炭素繊維である請求項１に記載の組成物。
【請求項２５】  難燃化剤、核生成剤、酸化防止剤、安定剤、着色剤、染料、顔料、可塑剤、非繊維充填材、非繊維強化材又は加工助剤からなる１種又はそれ以上の添加物を更に含んでなる請求項１に記載の組成物。
【請求項２６】  ０．１〜６０重量％の１種又はそれ以上の添加物からなる、請求項２５に記載の組成物。
【請求項２７】  請求項１に記載の組成物からなる造形物品。
【請求項２８】  請求項１に記載の組成物からなる押出造形物品。
【請求項２９】  請求項１に記載の組成物からなる成形造形物品。
【請求項３０】  （ａ）熱可塑性ポリマーである第一のポリマーを、ＴＬＣＰである第二のポリマー及び強化繊維と混合する工程並びに（ｂ）この組成物を剪断に付す工程を含んでなり、（ｉ）第一のポリマー及び第二のポリマーが、重なった溶融加工範囲に亘って重なる溶融加工範囲を有し、そして（ii）第二のポリマーが、この重なった溶融加工範囲内で第一のポリマーと混合したとき、第一のポリマーと部分的に非混和性であるか又は第一のポリマーと非混和性である溶融加工性繊維強化ポリマー組成物中の繊維長の剪断誘導短縮の減少方法。
【請求項３１】  第一のポリマーと第二のポリマーとの溶解度パラメーターの差が、０．３（Ｊ／cm3)0.5 より大きい請求項３０に記載の方法。
【請求項３２】  第一のポリマーと第二のポリマーとの溶解度パラメーターの差が、０．５（Ｊ／cm3)0.5 より大きい請求項３０に記載の方法。
【請求項３３】  第一のポリマーと第二のポリマーとの溶解度パラメーターの差が、１．０（Ｊ／cm3)0.5 より大きい請求項３０に記載の方法。
【請求項３４】  剪断を押出によって適用する請求項３０に記載の方法。
【請求項３５】  組成物を、２５０秒-1単位を越える剪断に付す請求項３０に記載の方法。
【請求項３６】  組成物を、１０００秒-1単位を越える剪断に付す請求項３０に記載の方法。
【請求項３７】  組成物を、２５００秒-1単位を越える剪断に付す請求項３０に記載の方法。
【請求項３８】  第二のポリマーの添加前に、繊維を第一のポリマーと混合する請求項３０に記載の方法。
【請求項３９】  繊維を添加する前に、第二のポリマーを第一のポリマーと混合する請求項３０に記載の方法。
【請求項４０】  第一のポリマーを添加する前に、第二のポリマーを繊維と混合する請求項３０に記載の方法。
【請求項４１】  第一のポリマー、第二のポリマー及び繊維からなる組成物Ａ（第一のポリマー及び繊維は、重量比Ｒで組成物Ａの中に存在する）の繊維の長さが、溶融加工後に、重量比Ｒで第一のポリマー及び繊維からなる、溶融加工後の組成物Ｂの中の繊維の長さよりも１０％またはそれ以上長い請求項３０に記載の方法。
【請求項４２】  第一のポリマーの重量の繊維の重量に対する重量比Ｒで、第一のポリマー及び繊維からなる組成物Ａの中の繊維の長さが、溶融加工後に、第二のポリマー、第一のポリマー及び繊維からなる、溶融加工後の組成物Ｂ（但し、第一のポリマー及び繊維は、重量比Ｒで組成物Ｂ中に存在している）の中の繊維の長さよりも２５％又はそれ以上短い請求項３０に記載の方法。
【請求項４３】  第二のポリマー及び第一のポリマーが、１：１０より小さい第二のポリマーの第一のポリマーに対する重量比で組成物中に存在する請求項３０に記載の方法。
【請求項４４】  （ａ）２０〜９４．５重量％の第一のポリマー、（ｂ）０．５〜３０重量％の第二のポリマー及び（ｃ）５〜７０重量％の繊維を含む請求項３０に記載の方法。
【請求項４５】  （ａ）４５〜７８重量％の第一のポリマー、（ｂ）２〜１０重量％の第二のポリマー及び（ｃ）２０〜４５重量％の繊維を含む請求項３０に記載の方法。
【請求項４６】  重なった温度範囲が少なくとも５℃である請求項３０に記載の方法。
【請求項４７】  重なった温度範囲が少なくとも２０℃である請求項３０に記載の方法。
【請求項４８】  第一のポリマーが、熱成形条件下に、少なくとも１０重量％結晶化することができる、結晶性又は半結晶性ポリマーである請求項３０に記載の方法。
【請求項４９】  第一のポリマーが、熱成形条件下に、少なくとも２０重量％結晶化することができる、結晶性又は半結晶性ポリマーである請求項３０に記載の方法。
【請求項５０】  第一のポリマーがポリエステル又はコポリエステルである請求項３０に記載の方法。
【請求項５１】  第一のポリマーが、ポリ（エチレンテレフタレート）、ポリ（テトラメチレンテレフタレート）、ポリ（シクロヘキサン−１，４−メチレンテレフタレート）、ポリ（エチレンナフチル−２，６−ジカルボキシレート）、ポリ（テトラメチレンナフチル−２，６−ジカルボキシレート）、ポリ（シクロヘキサン−１，４−メチレンナフチル−２，６−ジカルボキシレート）、ポリ（カプロラクタム）、ポリ（ヘキサメチレンアジパミド）、ポリ（テトラメチレンアジパミド）、ポリ（ｐ−フェニレンスルフィド）又はポリ（ｐ−フェニレンオキシド）を含む請求項３０に記載の方法。
【請求項５２】  第二のポリマーが、エチレングリコール、テレフタル酸、ナフタレン−２，６−ジカルボン酸、ナフタレン−６−カルボキシル−２−オール、ヒドロキノン、ｐ−ヒドロキシ安息香酸、メチルヒドロキノン、フェニルヒドロキノン、ナフタレン−６−カルボキシル−２−アミド、ｐ−アミノ安息香酸、トランス−スチルベン−４，４′−ジカルボン酸、イソフタル酸又はこれらの混合物の残基からなる請求項３０に記載の方法。
【請求項５３】  第二のポリマーが、ＰＥＴ−ＨＢ；ＨＢ−ＮＡ；テレフタル酸、ナフタレン−２，６−ジカルボン酸、ヒドロキノン、ｐ−ヒドロキシ安息香酸若しくはこれらの混合物から形成された１種若しくはそれ以上の芳香族ポリマー又はこれらの混合物である請求項３０に記載の方法。
【請求項５４】  第二のポリマーがＰＥＴ−ＨＢであり、ＰＥＴ−ＨＢが６０〜９０モル％のｐ−ヒドロキシ安息香酸の残基からなる請求項３０に記載の方法。
【請求項５５】  第二のポリマーがＰＥＴ−ＨＢであり、ＰＥＴ−ＨＢが７５〜８５モル％のｐ−ヒドロキシ安息香酸の残基からなる請求項３０に記載の方法。
【請求項５６】  第二のポリマーがＨＢ−ＮＡであり、ＨＢ−ＮＡが５〜９５モル％のｐ−ヒドロキシ安息香酸の残基からなる請求項３０に記載の方法。
【請求項５７】  第二のポリマーがＨＢ−ＮＡであり、ＨＢ−ＮＡが４０〜６０モル％のｐ−ヒドロキシ安息香酸の残基からなる請求項３０に記載の方法。
【請求項５８】  第二のポリマーが、０．３〜１０．０dL／ｇのインヘレント粘度を有するＰＥＴ−ＨＢである請求項３０に記載の方法。
【請求項５９】  第二のポリマーが、０．５〜３．５dL／ｇのインヘレント粘度を有するＰＥＴ−ＨＢである請求項３０に記載の方法。
【請求項６０】  第一のポリマー、繊維及び第二のポリマーが、第一のポリマーの重量の繊維の重量に対する重量比Ｒで、第一のポリマー及び繊維からなる組成物Ａの粘度が、第二のポリマー、第一のポリマー及び繊維からなる組成物Ｂ（但し、第一のポリマー及び繊維は、重量比Ｒで組成物Ｂ中に存在している）の粘度よりも小さいように選択される請求項３０に記載の方法。
【請求項６１】  繊維が細断不活性繊維状材料である請求項３０に記載の方法。
【請求項６２】  繊維がガラス繊維又は炭素繊維である請求項３０に記載の方法。
【請求項６３】  難燃化剤、核生成剤、酸化防止剤、安定剤、着色剤、染料、顔料、可塑剤、非繊維充填材、非繊維強化材又は加工助剤からなる１種又はそれ以上の添加物を混合することを更に含んでなる請求項３０に記載の方法。
【請求項６４】  組成物が、０．１〜６０重量％の１種又はそれ以上の添加物からなる請求項６３に記載の方法。
【請求項６５】  第一のポリマーがポリエステル又はコポリエステルポリマーである請求項３０に記載の方法から得られる製品。
【請求項６６】  押出造形物品の形態の請求項６５に記載の製品。
【請求項６７】  成形造形物品の形態の請求項６６に記載の製品。
【請求項６８】  （ａ）第一のポリマーがポリエステル又はコポリエステルポリマーである第一のポリマー、（ｂ）ＴＬＣＰである第二のポリマー及び（ｃ）強化繊維からなり、（ｉ）第一のポリマー及び第二のポリマーが、重なった溶融加工範囲を有し、そして（ii）第二のポリマー及び第一のポリマーが、１：１０より小さい第二のポリマーの第一のポリマーに対する重量比で組成物中に存在する、溶融加工性繊維強化ポリマー組成物。
【請求項６９】  （ａ）熱可塑性ポリマーである第一のポリマーを、ＴＬＣＰである第二のポリマー及び強化繊維と混合する工程並びに（ｂ）この組成物を剪断に付す工程からなる、溶融加工性繊維強化ポリマー組成物中の繊維長の剪断誘導短縮の減少方法であって、（ｉ）第一のポリマー及び第二のポリマーが、重なった溶融加工範囲に亘って重なる溶融加工範囲を有し、そして（ii）この組成物を１０００秒-1単位を越える剪断に付す方法。
【請求項７０】  この組成物を２５００秒-1単位を越える剪断に付す請求項６９に記載の方法。